(57)【要約】【課題】原稿の再読み取りを行うことなくブランク原稿（白紙原稿）を飛ばしてプレビュー表示できる画像処理装置を提供する。【解決手段】入力画像データが無地原稿の画像データであるか否かの判定を行うブランク原稿判定部５３と、ブランク原稿判定部５３での判定結果と関連付けて入力画像データを記憶する記憶装置１０７と、記憶装置１０７から入力画像データを読み出し、画像表示装置１０４にてプレビュー表示する際、ブランク原稿判定部５３にて無地原稿の画像データであると判定された入力画像データを上記プレビュー表示の対象外とする制御部１０８と、を備えている。【選択図】図１
2010056803.tif 000002
【特許請求の範囲】
【請求項１】
原稿読取装置にて読み取られた原稿の画像データである入力画像データを、画像印刷ジョブ、画像送信ジョブ、画像ファイリングジョブのうちのいずれかのジョブを実行するジョブ装置に対して供給すると共に、プレビュー表示するために画像表示装置に供給する画像処理装置であって、
上記入力画像データが、無地原稿の画像データであるか否かを判定するブランク原稿判定部と、
上記入力画像データについての上記ブランク原稿判定部での判定結果と上記入力画像データとを関連付けて記憶する記憶装置と、
上記記憶装置から上記入力画像データを読み出し、上記画像表示装置にてプレビュー表示する際、上記ブランク原稿判定部にて無地原稿の画像データであると判定された入力画像データを上記プレビュー表示の対象外とするプレビュー制御部と、
を備えることを特徴とする画像処理装置。
【請求項２】
上記原稿読取装置は、原稿を搬送して原稿の読み取りを行う走行読取モードを選択可能に設けられており、
上記ブランク原稿判定部は、上記走行読取モードが選択された場合に、上記判定を行うことを特徴とする請求項１に記載の画像処理装置。
【請求項３】
上記ブランク原稿判定部は、
上記入力画像データのエッジ画素数を算出し、無地原稿および印画紙写真原稿とそれ以外の原稿と区別する第１閾値と比較し、かつ、
上記入力画像データの注目画素毎に、色成分毎の平均値の最大値と色成分毎の平均値の差のうちの最大の値である最大差とを求め、最大値と最大差とのそれぞれのヒストグラムを生成し、それぞれのヒストグラムの度数値を有意値と判定するための第２閾値よりも大きい区分数の合計値を、それぞれ最大値ヒストグラム原稿濃度幅と最大差ヒストグラム原稿濃度幅として算出し、これら算出値を無地原稿と印画紙写真原稿とを区別する第３閾値と比較し、
上記エッジ画素数が第１閾値以下であり、かつ、上記最大値ヒストグラム原稿濃度幅と上記最大差ヒストグラム原稿濃度幅とが、それぞれ第３閾値よりも小さければ、
上記入力画像データを、無地原稿の画像データであると判定する、ことを特徴とする請求項１または２に記載の画像処理装置。
【請求項４】
請求項１から３の何れか１項に記載の画像処理装置と、原稿読取装置と、プレビュー表示を行う画像表示装置と、を備えることを特徴とする画像形成装置。
【請求項５】
原稿読取装置にて読み取られた原稿の画像データである入力画像データを、画像印刷ジョブ、画像送信ジョブ、画像ファイリングジョブのうちのいずれかのジョブを実行するジョブ装置に対して供給すると共に、プレビュー表示するために画像表示装置に供給する画像処理方法であって、
上記入力画像データが無地原稿の画像データであるか否かの判定を行うブランク原稿判定ステップと、
上記入力画像データについての上記ブランク原稿判定ステップでの判定結果と上記入力画像データとを関連付けて記憶装置に記憶する記憶ステップと、
上記記憶装置から上記入力画像データを読み出し、上記画像表示装置にてプレビュー表示するプレビューステップと、を含み、
上記プレビューステップでは、上記ブランク原稿判定ステップにて無地原稿の画像データであると判定された入力画像データを上記プレビュー表示の対象外とすることを特徴とする画像処理方法。
【請求項６】
請求項１から３の何れか１項に記載の画像処理装置を動作させるプログラムであって、コンピュータを上記画像処理装置の各部として機能させるための画像処理プログラム。
【請求項７】
請求項６に記載の画像処理プログラムが記録されたコンピュータ読み取り可能な記録媒体。
【発明の詳細な説明】
【技術分野】
【０００１】
本発明は、入力画像データのサムネイルやプレビューの表示を行う画像処理装置、画像形成装置、画像処理方法、画像処理プログラム及びコンピュータ読み取り可能な記録媒体に関するものである。
【背景技術】
【０００２】
複写機や複合機などの画像形成装置にて、自動原稿送り装置（ＡＤＦ：Auto Document Feeder）等で原稿を読み取って、コピー、あるいは、scan to e-mail、ファイリングを行う場合、複数の原稿の中に、片面原稿と両面原稿が混在している場合がある。その場合、まず、片面原稿と両面原稿とを分け、それぞれに対して読み取り動作を行い、読み取りを行った原稿を元の順番に並べ直すという作業が必要になる。
【０００３】
上記のように片面原稿と両面原稿とを分離しないで原稿を読み取りコピーを行うと、不要な無地の用紙が出力されたり、カラーの無地の用紙が混入している場合、カラートナー（あるいはインク）が無駄に消費されたりする。また、原稿のファイリングを行う場合では、ハードディスク等のメモリを無駄に使用することになる。そこで、これらの問題を解決するために、例えば、特許文献１に開示された方法が提案されている。特許文献１の方法では、白紙原稿ページスキップモードと白紙原稿ページ挿入モードとをユーザが選択できる。白紙原稿ページスキップモードが選択された場合は、白基準データとの比較を行うことにより画像データから白紙原稿を検知し、検知された画像データを破棄することで画像形成のスキップを行い、白紙原稿ページ挿入モードが選択された場合は、白紙データを挿入することにより画像形成を行う。
【特許文献１】特開平９−２３３３２１号公報（公開日：１９９７年９月５日）
【特許文献２】特開平９−１３５３１６号公報（公開日：１９９７年５月２０日）
【発明の開示】
【発明が解決しようとする課題】
【０００４】
ここで、複写機や複合機などの画像形成装置には、原稿の種類や設定条件（印刷濃度、変倍処理の倍率、片面印刷あるいは両面印刷、余白サイズ等）に応じて処理された後の画像データに基づいて、印刷対象の画像を１枚ずつ、あるいは複数枚を合成してプレビュー表示するものがある。読み取られた原稿をプレビュー表示して、印刷、ファクシミリ送信、e-mail送信、ファイリング等の各処理を行う際、上記従来の技術では、白紙原稿ページスキップモードを事前に選択していないと、プレビューに反映することができない。例えば、白紙原稿ページスキップモードの選択を行わなかった場合、白紙原稿を除去してプレビュー表示させるためには、改めて原稿の読み取りを行う必要がある。
【０００５】
本発明は、上記の問題点に鑑みてなされたものであり、原稿の再読み取りを行うことなくブランク原稿（白紙原稿）を飛ばしてプレビュー表示できる画像処理装置等を提供することにある。ここで、ブランク原稿（白紙原稿）とは、下地がカラーであっても白であっても画像が形成されていない原稿、つまり無地原稿を指す。
【課題を解決するための手段】
【０００６】
本発明に係る画像処理装置は、上記課題を解決するために、原稿読取装置にて読み取られた原稿の画像データである入力画像データを、画像印刷ジョブ、画像送信ジョブ、画像ファイリングジョブのうちのいずれかのジョブを実行するジョブ装置に対して供給すると共に、プレビュー表示するために画像表示装置に供給する画像処理装置であって、上記入力画像データが無地原稿の画像データであるか否かを判定するブランク原稿判定部と、上記入力画像データについての上記ブランク原稿判定部での判定結果と上記入力画像データとを関連付けて記憶する記憶装置と、上記記憶装置から上記入力画像データを読み出し、上記画像表示装置にてプレビュー表示する際、上記ブランク原稿判定部にて無地原稿の画像データであると判定された入力画像データを上記プレビュー表示の対象外とするプレビュー制御部と、を備えることを特徴としている。
【０００７】
上記構成によると、入力画像データが無地原稿の画像データであるか否かの判定を行い、この判定結果と関連付けて上記入力画像データを記憶する。そして、無地原稿の画像データであると判定された入力画像データは、プレビュー表示の対象外とする。つまり、プレビュー表示時には、無地原稿の画像データであるか否かの判定結果を参照して表示を行うことができる。よって、例えば予め無地原稿（ブランク原稿）を飛ばしてプレビュー表示するように設定していない場合でも、原稿の再読込みを行うことなく、記憶装置の判定結果を参照することで、無地原稿の画像データを飛ばして、無地原稿の画像データではない画像データを記憶装置から読み出してプレビュー表示することができる。よって、無地原稿（ブランク原稿）を飛ばしてプレビュー表示でき、ユーザに使い勝手のよい画像処理装置を提供することができる。
【０００８】
本発明に係る画像処理装置では、上記構成に加え、上記原稿読取装置は、原稿を搬送して原稿の読み取りを行う走行読取モードを選択可能に設けられており、上記ブランク原稿判定部は、上記走行読取モードが選択された場合に、上記判定を行ってもよい。
【０００９】
原稿を例えば原稿台にセットして読み取りを行う静止読取モードでは、ユーザは原稿を１枚ずつセットするため、ユーザが原稿を確認する場合もあり、ブランク原稿を読み取る確率は小さい。他方、原稿を搬送して読み取りを行う走行読取モードであると、自動的に原稿が搬送されるが、搬送する前に原稿をいちいちユーザが確認しない場合もあるので、ブランク原稿を読み取る確率は高くなる。そこで、上記構成では、原稿を搬送させて読み取りを行う走行読取モードの場合にブランク原稿の判定を行うため、無駄なく効率よく処理できる。
【００１０】
本発明に係る画像処理装置では、上記構成に加え、上記ブランク原稿判定部は、上記入力画像データのエッジ画素数を算出し、無地原稿および印画紙写真原稿とそれ以外の原稿と区別する第１閾値と比較し、かつ、上記入力画像データの注目画素毎に、色成分毎の平均値の最大値と色成分毎の平均値の差のうちの最大の値である最大差とを求め、最大値と最大差とのそれぞれのヒストグラムを生成し、それぞれのヒストグラムの度数値を有意値と判定するための第２閾値よりも大きい区分数の合計値を、それぞれ最大値ヒストグラム原稿濃度幅と最大差ヒストグラム原稿濃度幅として算出し、これら算出値を無地原稿と印画紙写真原稿とを区別する第３閾値と比較し、上記エッジ画素数が第１閾値以下であり、かつ、上記最大値ヒストグラム原稿濃度幅と上記最大差ヒストグラム原稿濃度幅とが、それぞれ第３閾値よりも小さければ、上記入力画像データを、無地原稿の画像データであると判定してもよい。
【００１１】
上記構成によると、入力画像データの、エッジ画素数と、最大値ヒストグラム原稿濃度幅と、最大差ヒストグラム原稿濃度幅とから、適切に、入力画像データについて無地原稿の画像データであるか否かの判定を行うことができる。
【００１２】
本発明に係る画像形成装置は、上記課題を解決するために、上記何れかに記載の画像処理装置と、画像処理装置と、原稿読取装置と、プレビュー表示を行う画像表示装置と、を備えることを特徴としている。上記構成によると、原稿の再読み取りを行うことなくブランク原稿を飛ばしてプレビュー表示ができる画像形成装置を提供することができる。
【００１３】
本発明に係る画像処理方法は、上記課題を解決するために、原稿読取装置にて読み取られた原稿の画像データである入力画像データを、画像印刷ジョブ、画像送信ジョブ、画像ファイリングジョブのうちのいずれかのジョブを実行するジョブ装置に対して供給すると共に、プレビュー表示するために画像表示装置に供給する画像処理方法であって、上記入力画像データが無地原稿の画像データであるか否かの判定を行うブランク原稿判定ステップと、上記入力画像データについての上記ブランク原稿判定ステップでの判定結果と上記入力画像データとを関連付けて記憶装置に記憶する記憶ステップと、上記記憶装置から上記入力画像データを読み出し、上記画像表示装置にてプレビュー表示するプレビューステップとを含み、上記プレビューステップでは、上記ブランク原稿判定ステップにて無地原稿の画像データであると判定された入力画像データを上記プレビュー表示の対象外とすることを特徴としている。
【００１４】
上記方法によると、上記画像処理装置と同様の効果を奏し、原稿の再読み取りを行うことなくブランク原稿を飛ばしてプレビュー表示を行うことができる。
【００１５】
また、本発明に係る画像処理装置は、コンピュータによって実現してもよく、この場合には、コンピュータを上記画像処理装置における上記各部として動作させることにより上記画像処理装置をコンピュータにて実現させる画像処理プログラム、及びその画像処理プログラムを記録したコンピュータ読み取り可能な記録媒体も、本発明の範疇に入る。
【００１６】
これらの構成によれば、上記画像処理プログラムを、コンピュータに読み取り実行させることによって、上記画像処理装置と同一の作用効果を実現することができる。
【発明の効果】
【００１７】
本発明に係る画像処理装置は、以上のように、上記入力画像データが無地原稿の画像データであるか否かを判定するブランク原稿判定部と、上記入力画像データについての上記ブランク原稿判定部での判定結果と上記入力画像データとを関連付けて記憶する記憶装置と、上記記憶装置から上記入力画像データを読み出し、上記画像表示装置にてプレビュー表示する際、上記ブランク原稿判定部にて無地原稿の画像データであると判定された入力画像データを上記プレビュー表示の対象外とするプレビュー制御部と、を備えている。
【００１８】
上記構成によると、入力画像データが無地原稿の画像データであるか否かの判定を行い、この判定結果と関連付けて上記入力画像データを記憶する。そして、無地原稿の画像データであると判定された入力画像データは、プレビュー表示の対象外とする。つまり、プレビュー表示時には、無地原稿の画像データであるか否かの判定結果を参照して表示を行うことができる。よって、例えば予め無地原稿（ブランク原稿）を飛ばしてプレビュー表示するように設定していない場合でも、原稿の再読込みを行うことなく、記憶装置の判定結果を参照することで、無地原稿の画像データを飛ばして、無地原稿の画像データではない画像データを記憶装置から読み出してプレビュー表示することができる。よって、無地原稿（ブランク原稿）を飛ばしてプレビュー表示でき、ユーザに使い勝手のよい画像処理装置を提供することができる。
【発明を実施するための最良の形態】
【００１９】
〔実施の形態１〕
本発明の画像形成装置の一形態について図に基づいて説明する。図１は、本実施形態の画像形成装置１００の概略構成を示すブロック図である。
【００２０】
本実施形態の画像形成装置１００は、コピアモード・プリントモード・ファクシミリ送信モード・ファクシミリ受信モード・イメージ送信モードの中からいずれかのモードが選択されると、選択されたモードを実行するデジタルカラー複合機である。
【００２１】
コピアモード（複写モード）とは、画像データを読み込み（原稿を読み取って画像データを生成し）、この画像データの画像を用紙に印刷するモードを意味する。また、プリントモードとは、画像形成装置１００に接続されている端末装置から送られてくる画像データの画像を用紙に印刷するモードを意味する。ファクシミリ送信モードとは、原稿を読み取って得られる画像データを電話回線によって外部装置に送信する通常のファクシミリモードと、前記画像データをメールに添付してインターネットによって送信するインターネットファクシミリモードとを意味する。ファクシミリ受信モードとは、外部装置から画像データをファクシミリにて受信し、受信した画像データの画像を用紙に印刷するモードを意味する。イメージ送信モードとは、（１）原稿を読み取って生成した画像データを電子メールに添付して指定されたアドレスへ送信するモード（scan to e-mailモード）、（２）原稿を読み取って生成した画像データをユーザにより指定されたフォルダに送信するモード（scan to ftpモード）、（３）原稿を読み取って生成した画像データを画像形成装置１００に装着されたＵＳＢメモリなどに送信するモード（scan to usbモード）を意味する。なお、本実施形態においては、画像処理の動作上から、ファクシミリ送信モードとイメージ送信モードとを上記のように分類している。
【００２２】
また、コピアモード・プリントモードが選択されている場合、利用者は、白黒画像を出力する白黒モード，フルカラーの画像を出力するフルカラーモード，利用者の所望する１色のみからなる単色画像を出力するシングルカラーモード，利用者の所望する１色と黒色とからなる２色画像を出力する２色カラーモードのいずれかを選択できるようになっている。
【００２３】
例えば、コピアモードまたはプリントモードにおいて、利用者がシングルカラーモードを選択した場合、上記単色画像が印刷されることになる。また、コピアモードまたはプリントモードにおいて、利用者が２色カラーモードを選択した場合、上記２色画像の画像データが印刷される。なお、シングルカラーモードまたは２色カラーモードでは、利用者は、Ｒ（赤），Ｇ（緑），Ｂ（青），Ｃ（シアン），Ｍ（マゼンタ），Ｙ（イエロー）の中から所望の色を１つ選択することになる。
【００２４】
また、本実施形態では、コピアモードにおいて、自動判別モードを設定することが可能である。この自動判別モードが設定されている場合、画像形成装置１００は、複写対象がカラー原稿か白黒原稿であるかを判別する自動カラー判別処理（ＡＣＳ）を行い、カラー原稿と判別される場合は上記のフルカラーモードで出力処理を行い、白黒原稿と判別される場合は上記の白黒モードで出力処理を行うようになっている。
【００２５】
画像形成装置１００は、図１に示されるように、画像入力装置１０１、画像処理装置１０２、画像出力装置１０３、画像表示装置１０４、受信装置１０５、送信装置１０６、記憶装置１０７、制御部１０８を有している。
【００２６】
画像入力装置１０１は、コピアモード、ファクシミリ送信モード、イメージ送信モードにおいて、原稿を読み取り画像データを生成する画像読取手段である。より具体的に説明すると、画像入力装置１０１は、ＣＣＤ（Charge Coupled Device）を備えたスキャナ部を有し、原稿から反射してきた光を、ＲＧＢに色分解された電気信号（アナログの画像信号）に変換し、この電気信号を画像処理装置１０２に入力するものである。
【００２７】
なお、画像入力装置１０１は、上記のフルカラーモード，シングルカラーモード，２色カラーモードのいずれのモードが選択されている場合であっても、フルカラーにて原稿画像の読み取りを行う。また、画像入力装置１０１は、画像処理装置１０２において前述した自動カラー判別処理が行われる場合であってもフルカラーにて原稿画像の読み取りを行う。
【００２８】
画像処理装置１０２は、画像データ（画像信号）に対して画像処理を施す集積回路であり、ＡＳＩＣ（Application specific integrated circuit）から構成されるものである。この画像処理装置１０２は、図１に示すように、Ａ/Ｄ（アナログ/デジタル）変換部２、シェーディング補正部３、入力処理部４、原稿種別自動判別部５、領域分離処理部６、圧縮部７、領域分離信号圧縮部８、復号部９、領域分離信号復号部１０、画質調整部１１、２色化処理部１２、色補正部１３、黒生成／下色除去部１４、空間フィルタ部１５、変倍部１６、出力階調補正部１７、中間調生成部１８の各ブロックを有している。画像処理装置１０２に含まれる各ブロックの処理内容については後で詳述する。
【００２９】
なお、画像処理装置１０２は、コピアモード、ファクシミリ送信モード、イメージ送信モードにおいて、画像入力装置１０１から送られてきた画像データに画像処理を行い、プリントモードにおいて、端末装置から送信されてきた画像データに画像処理を行い、ファクシミリ受信モードにおいて、外部装置から受信した画像データに画像処理を行うようになっている。そして、画像処理装置１０２は、コピアモード、プリントモード、ファクシミリ受信モードにおいて、画像処理を施した画像データを画像出力装置１０３に送信し、ファクシミリ送信モードにおいて、画像処理を施した画像データを送信装置１０６に送信するようになっている。また、画像処理装置１０２は、イメージ送信モードのscan to e-mailモードにおいて、画像処理を施した画像データをメール処理部（不図示）に送信し、scan to ftpモードにおいて、画像処理を施した画像データを所定のフォルダに送信し、scan to usbモードにおいて、画像処理を施した画像データを所定のＵＳＢメモリに送信するようになっている。
【００３０】
画像出力装置（プリンタ）１０３は、画像処理装置１０２から送られてきた画像データの画像を記録媒体（例えば紙等）上に印刷（形成）するものであり、例えば、電子写真方式またはインクジェット方式を用いたカラープリンタを挙げることができる。なお、本実施形態においての「印刷」とは、プリントモードにおける印刷、コピアモードでの印刷、ファクシミリ受信モードでの印刷のいずれかを意味する。
【００３１】
画像表示装置１０４は、画像形成装置１００の操作パネル（不図示）に備えられている液晶ディスプレイであり、カラー画像の表示が可能な表示手段である。また、画像表示装置１０４は、タッチパネルに覆われており、画像形成装置１００の入力インターフェイスとしての機能を有している。つまり、画像表示装置１０４には、画像形成装置１００に対して各種コマンドの入力を行うためのＧＵＩ（グラフィカルユーザインターフェイス）や操作ガイドが表示される。
【００３２】
また、本実施形態の画像形成装置１００では、コピアモードまたはファクシミリ受信モードにおいて、印刷実行前に、印刷対象となる画像のプレビューを画像表示装置１０４に表示することが可能になっている。さらに、本実施形態の画像形成装置１００では、ファクシミリ送信モードまたはイメージ送信モードにおける送信実行前において、送信対象となる画像のプレビューを画像表示装置１０４に表示することが可能になっている。
【００３３】
また、コピアモードまたはイメージ送信モードにおいて、フルカラーモードが選択されている場合はフルカラー画像のプレビューが表示され、シングルカラーモードが選択されている場合は単色画像のプレビューが表示され、２色カラーモードが選択されている場合は２色画像のプレビューが表示されるようになっている。
【００３４】
なお、画像表示装置１０４は、液晶ディスプレイに限定されるものではなく、液晶ディスプレイ以外の表示手段（例えば、有機ＥＬディスプレイ、プラズマディスプレイ等）であってもよい。
【００３５】
受信装置１０５は、電話回線またはインターネットに接続しており、ファクシミリ通信によって外部装置から画像データを受信する装置である。また、送信装置１０６は、電話回線またはインターネットに接続しており、画像入力装置１０１にて入力された画像データをファクシミリ通信によって外部装置へ送信する装置である。
【００３６】
記憶装置１０７は、画像処理装置１０２にて扱われる画像データを一旦保存するためのハードディスクである。
【００３７】
制御部１０８は、ＣＰＵ（Central Processing Unit）あるいはＤＳＰ（Digital Signal Processor）等のプロセッサを含むコンピュータであり、画像形成装置１００に備えられる各種ハードウェアを統括的に制御するものである。また、制御部１０８は、画像形成装置１００に備えられる各ハードウェア間のデータ転送を制御する機能も有する。
【００３８】
つぎに、コピアモード、ファクシミリ送信モード、ファクシミリ受信モード、イメージ送信モードの各モードにおいて、画像処理装置１０２の各ブロックにて実行される処理の内容を詳細に説明する。なお、本実施形態の画像処理装置１０２には、或るモードａが選択されている時は動作する一方で前記モードａとは異なるモードｂが選択されている時は動作しないようなブロックが存在する（モードａ、モードｂは、コピアモード、ファクシミリ送信モード、ファクシミリ受信モード、イメージ送信モードのいずれかである）。また、画像処理装置１０２には、選択されているモードに応じて処理内容を変更するブロックも存在する。さらに、画像処理装置１０２には、選択されているモードが同じであっても、印刷用（送信用）の画像データの処理時は動作する一方でプレビュー用の画像データの処理時は動作しないようなブロックや、印刷用（送信用）の画像データの処理時とプレビュー用の画像データの処理時とで処理内容を変更するブロックが存在する。そこで、以下では、画像処理装置１０２に含まれる各ブロックにて実行される処理の内容について、モード別に説明すると共に、印刷処理時（または送信処理時）とプレビュー表示時とで分けて説明する。
【００３９】
（１）コピアモード
（１−１）印刷処理時（画像印刷ジョブ時）
以下では、図１に基づいて画像処理装置１０２について説明するが、図１はコピアモード且つフルカラーモードにて印刷処理を行う際の画像処理装置１０２内の画像データの流れを示したものである事を述べておく。
【００４０】
Ａ／Ｄ（アナログ／デジタル）変換部２は、画像入力装置１０１から送られてきたカラー画像信号（ＲＧＢアナログ信号）をデジタルの画像データ（ＲＧＢデジタル信号）に変換するブロックである。シェーディング補正部３は、Ａ／Ｄ変換部２から送られてきた画像データに対して、画像入力装置１０１の照明系、結像系、撮像系で生じる各種の歪みを取り除く処理を施すブロックである。入力処理部４は、シェーディング補正部３より送られてくるＲＧＢの画像データのそれぞれに対してγ補正処理などの階調変換処理を施すブロックである。
【００４１】
原稿種別自動判別部５は、入力処理部４にてγ補正等の処理がなされたＲＧＢの画像データ（ＲＧＢの濃度信号）に基づき、画像入力装置１０１にて読み取られた原稿の種別の判定を行う。ここで、判定される原稿の種別としては、文字原稿、印刷写真原稿、文字と印刷写真とが混在した文字印刷写真原稿等がある。また、原稿種別自動判別部５は、上記画像データに基づき、読み取られた原稿がカラー原稿であるか白黒原稿であるのかの判別を行う処理である自動カラー判別処理（ＡＣＳ：Auto Color Selection）やブランク原稿であるか否か（無地の原稿であるか否か）の判定処理も行うことができる。なお、原稿種別自動判別部５から出力されるＲＧＢの画像データは、領域分離処理部６および圧縮部７に入力するようになっている。
【００４２】
領域分離処理部６は、原稿種別自動判別部５から送られてくるＲＧＢの画像データに基づき、入力画像の画素毎に、当該画素がどのような画像領域に分類されるのかを判別し、この判別結果を示す領域分離信号を生成する処理を行う。ここで、領域分離処理部６において判別される画像領域には、黒文字領域，色文字領域，網点領域等がある。なお、領域分離処理は、画素毎に画像領域の判定を行う形態ではなく、複数の画素よりなるブロック毎に画像領域の判定が行われる形態であってもよい。
【００４３】
圧縮部７は、原稿種別自動判別部５から送られてくる画像データ（ＲＧＢ信号）を符号化する処理を行うブロックである。なお、上記符号化は、例えばＪＰＥＧ(Joint Photographic Experts Group)方式に基づいて行われる。
【００４４】
領域分離信号圧縮部８は、画素毎に生成された領域分離信号に対して圧縮処理を施すブロックである。なお、領域分離信号圧縮部８における圧縮処理は、例えば、可逆圧縮方法であるＭＭＲ（Modified Modified Reed）方式、ＭＲ（Modified Reed）方式に基づいて行われる。
【００４５】
制御部１０８は、圧縮部７から出力された符号化コード（符号化された画像データ）と領域分離信号圧縮部８から出力された領域分離信号コード（圧縮された領域分離信号）とを一旦記憶装置１０７に保存し、ファイリングデータとして管理する。そして、制御部１０８は、コピー出力動作が指示された場合、記憶装置１０７から上記の符号化コードおよび当該符号化コードに対応する領域分離信号コードを読み出し、復号部９、領域分離信号復号部１０にそれぞれ引き渡す。
【００４６】
なお、制御部１０８は、上記符号化コードの保存アドレスまたはデータ名と、領域分離信号コードの保存アドレスとを対応付けて管理テーブルに記入する。つまり、制御部１０８は、当該管理テーブルを用いて、符号化コードおよび領域分離信号コードの読み出しまたは書き込みの制御を行っている。
【００４７】
復号部９は、上記符号化コードに対して復号化処理を施すことによって、上記符号化コードをＲＧＢの画像データに伸張する。また、領域分離信号復号部１０は、上記領域分離信号コードに対して復号化処理を施す。復号化した領域分離信号は、黒生成／下色除去部１４、空間フィルタ部１５、中間調生成部１８に引き渡される。そして、黒生成／下色除去部１４、空間フィルタ部１５、中間調生成部１８においては、画像領域の種類に応じて画像処理内容の切替えが行われる。
【００４８】
画質調整部１１は、復号部９から送られてくるＲＧＢの画像データについて、下地の検出を行って下地除去補正を行う。さらに、画質調整部１１は、ユーザによって操作パネル（不図示）から入力される設定情報に基づいて、ＲＧＢのバランス（カラー調整、赤み青みといった全体のカラー調整）、明るさ、鮮やかさの調整を行う。
【００４９】
さらに、画質調整部１１は、シングルカラーモードが選択されている場合、ＲＧＢの画像データを、ＲＧＢの補色となるＣＭＹの画像データに変換する処理を行う。ここで、シングルカラーモードにおいてのＲＧＢの画像データからＣＭＹの画像データへの変換処理は、下記の式１を用いることによって実行される。なお、式１における係数ｒ１〜ｒ３は〔表１〕に基づいて定められる。例えば、利用者がシングルカラーモードにおいて所望の色としてシアンを選択している場合、〔表１〕の「Ｃｙａｎ」の欄に属するｒ１〜ｒ３の値が参照され、ｒ１＝１，ｒ２＝０，ｒ３＝０が選択されることになる。
【００５０】
【数１】
2010056803.tif 000003
【００５１】
【表１】
2010056803.tif 000004
【００５２】
つまり、フルカラーモードの場合の画質調整部１１からの出力は、図１に示されるように、ＲＧＢの画像データとなるところ、シングルカラーモードが選択されている場合の画質調整部１１からの出力は、図２（ａ）に示されるように、ＣＭＹの画像データとなる。なお、２色カラーモードが選択されている場合の画質調整部１１からの出力は、図２（ｂ）に示されるように、ＲＧＢの画像データとなる。なお、図２（ａ）は、コピアモード且つシングルカラーモードにて印刷処理が行われる際の画像処理装置１０２の一部のブロックを示したものであり、図２（ｂ）は、コピアモード且つ２色カラーモードにて印刷処理が行われる際の画像処理装置１０２の一部のブロックを示したものである。
【００５３】
また、画質調整部１１にて実行される鮮やかさの調整は、式１のマトリクスのｒ１〜ｒ３およびａ１〜ａ３の各値を変更した上で当該マトリクスを用いることによって実現可能である。それゆえ、上記の鮮やかさの調整と、シングルカラーモードにおける画像データの変換処理（ＲＧＢからＣＭＹへの変換）とについては、マトリクスを共用でき、画像処理回路を共用できる。よって、本実施形態では、上記の鮮やかさの調整と、シングルカラーモードにおける画像データの変換処理とが、同じ処理部（画質調整部１１）で行われるのである。
【００５４】
２色化処理部１２は、２色カラーモードが選択されている場合、図２（ｂ）に示すように、画質調整部１１から出力されたＲＧＢの画像データをＣＭＹの画像データに変換する処理を行うブロックである。なお、２色カラーモードにおいてのＲＧＢの画像データからＣＭＹの画像データへの変換処理は、例えば、特開２００７−２８３３６号公報に記載されている〔実施例１〕または〔実施例２〕の手法にて実現できる。
【００５５】
また、２色化処理部１２は、フルカラーモードが選択されている場合、図１に示されるように、画質調整部１１から出力されたＲＧＢの画像データに対して何も処理を行わず、当該画像データをそのまま色補正部１３へ引き渡す（スルーする）。さらに、２色化処理部１２は、シングルカラーモードが選択されている場合、図２（ａ）に示すように、画質調整部１１から出力されたＣＭＹの画像データに対して何も処理を行わず、当該画像データをそのまま色補正部１３へ引き渡す（スルーする）。
【００５６】
色補正部１３は、フルカラーモードが選択されている場合、２色化処理部１２から出力されるＲＧＢの画像データをＣＭＹの画像データに変換する色補正処理を行うと共に、当該画像データに対して色再現性を高める処理を施すブロックである。なお、上記の色補正処理は、入力値（ＲＧＢ）と出力値（ＣＭＹ）とを対応付けたＬＵＴ（ルックアップテーブル）を作成し、作成したＬＵＴから出力値をルックアップすることによって実現される。
【００５７】
また、色補正部１３は、シングルカラーモードまたは２色カラーモードが選択されている場合、図２（ａ）（ｂ）に示されるように、２色化処理部１２から出力されたＣＭＹの画像データに対して何も処理を行わず、当該画像データをそのまま黒生成／下色除去部１４へ引き渡す（スルーする）。
【００５８】
黒生成／下色除去部１４は、フルカラーモードまたは２色カラーモードが選択されている場合、色補正部１３から出力されたＣＭＹの画像データから黒（Ｋ）の画像データを生成する黒生成を行う一方、元のＣＭＹの画像データから黒（Ｋ）の画像データを差し引いて新たなＣＭＹの画像データを生成する処理を行うブロックである。これにより、フルカラーモードまたは２色カラーモードが選択されている場合、図１および図２（ｂ）に示されるように、ＣＭＹの画像データは黒生成／下色除去部１４によってＣＭＹＫの４色の画像データに変換される。
【００５９】
また、黒生成／下色除去部１４は、シングルカラーモードが選択されている場合、図２（ａ）に示されるように、色補正部１３から出力されたＣＭＹの画像データに対して何も処理を行わず、当該画像データをそのまま後段の空間フィルタ部１５へ引き渡す（スルーする）。
【００６０】
なお、フルカラーモードまたは２色カラーモードが選択されている場合、黒生成／下色除去部１４の出力、および、黒生成／下色除去部１４よりも後段の各ブロックの入出力は、図１のように、ＣＭＹＫの画像データとなる。しかし、シングルカラーモードが選択されている場合、黒生成／下色除去部１４の出力、および、黒生成／下色除去部１４よりも後段の各ブロックの入出力は、図１とは異なり、ＣＭＹの画像データとなる。
【００６１】
空間フィルタ部１５は、黒生成／下色除去部１４より出力されるＣＭＹＫまたはＣＭＹの画像データに対して、領域分離信号（領域識別信号）を基にデジタルフィルタによる空間フィルタ処理（強調処理、平滑化処理等）を行っている。つまり、空間フィルタ部１５では、領域分離信号に基づいて、画像領域毎に異なる画像処理が実行される。
【００６２】
変倍部１６は、操作パネル（不図示）を介して利用者によって入力される変倍コマンド（印刷画像の倍率を示した情報）に基づいて、画像の拡大や縮小処理を行うブロックである。
【００６３】
出力階調補正部１７は、変倍部１６から出力された画像データに対して、用紙等の記録媒体に出力するための出力γ補正処理を行うブロックである。中間調生成部１８は、誤差拡散法やディザ法を用いて、画像出力装置１０３において画像を印刷するために必要な階調再現処理（中間調生成処理）を実行するものである。
【００６４】
そして、中間調生成部１８から出力されるＣＭＹＫまたはＣＭＹの画像データは画像出力装置１０３に引き渡され、画像出力装置１０３は、当該画像データの画像を記録媒体（例えば紙等）上に印刷する。
【００６５】
（１−２）プレビュー表示時
つぎに、コピアモードにて印刷対象画像のプレビューを表示する場合に画像処理装置１０２の各ブロックにて実行される処理の内容を図３に基づいて説明する。図３は、図１の画像形成装置１００と同じ画像形成装置１００を示すブロック図であり、コピアモード且つフルカラーモードにてプレビュー表示を行う際の画像データの流れを示した図である。
【００６６】
なお、Ａ/Ｄ（アナログ/デジタル）変換部２、シェーディング補正部３、入力処理部４、原稿種別自動判別部５、領域分離処理部６、圧縮部７、領域分離信号圧縮部８、復号部９、画質調整部１１、２色化処理部１２の処理については、印刷処理時と同じであるため、以下ではその説明を省略する。
【００６７】
領域分離信号復号部１０は、図３に示すように、プレビュー表示時において、復号化した領域分離信号を空間フィルタ部１５および出力階調補正部１７に引き渡す。
【００６８】
色補正部１３は、フルカラーモードにおいて、ＲＧＢの画像データを入力する。なお、ＲＧＢの画像データは、スキャナ（画像入力装置１０１）の色空間に適合しているデータである。そして、色補正部１３は、このＲＧＢの画像データを画像表示装置１０４の色空間に適合するＲ’Ｇ’Ｂ’の画像データへ変換する処理を行う。
【００６９】
つまり、色補正部１３は、スキャナの画像読取特性に適合したＲＧＢの画像データを表示装置の表示特性に適合したＲ’Ｇ’Ｂ’の画像データに変換する処理を行っているのである。なお、ＲＧＢの画像データをＲ’Ｇ’Ｂ’の画像データに変換する処理も、入力値（ＲＧＢ）と出力値（Ｒ’Ｇ’Ｂ’）とを対応付けたＬＵＴを作成し、作成したＬＵＴから出力値をルックアップすることによって実現される。
【００７０】
そして、本実施形態では、フルカラーモードにおいて、印刷処理時のＲＧＢの画像データからＣＭＹＫの画像データへの変換処理と、プレビュー表示時のＲＧＢの画像データからＲ’Ｇ’Ｂ’ の画像データへの変換処理とについて、画像処理回路を共用している。
【００７１】
ここで、図３は、図１と同様、フルカラーモードが選択されている場合の画像形成装置１００を示したものであり、色補正部１３は、フルカラーモードにおいて、ＲＧＢの画像データを入力するようになっている。しかし、シングルカラーモードまたは２色カラーモードでは、図４（ａ）（ｂ）に示すように、色補正部１３はＣＭＹの画像データを入力するようになっている。なお、図４（ａ）は、コピアモード且つシングルカラーモードにてプレビュー表示処理が行われる際の画像処理装置１０２の一部のブロックを示したものであり、図４（ｂ）は、コピアモード且つ２色カラーモードにてプレビュー表示処理が行われる際の画像処理装置１０２の一部のブロックを示したものである。
【００７２】
そして、色補正部１３は、シングルカラーモードまたは２色カラーモードでは、ＣＭＹの画像データをＲ’Ｇ’Ｂ’の画像データに変換する処理を行う。つまり、色補正部１３は、印刷処理の印刷特性に適合したＣＭＹの画像データを表示装置の表示特性に適合したＲ’Ｇ’Ｂ’の画像データに変換する処理を行っているのである。なお、ＣＭＹの画像データをＲ’Ｇ’Ｂ’の画像データに変換する処理も、入力値（ＣＭＹ）と出力値（Ｒ’Ｇ’Ｂ’）とを対応付けたＬＵＴを作成し、作成したＬＵＴから出力値をルックアップすることによって実現される。
【００７３】
黒生成／下色除去部１４は、図３および図４に示すように、シングルカラーモード，２色カラーモード，フルカラーモードのいずれのモードであっても、色補正部１３から出力されたＲ’Ｇ’Ｂ’の画像データに対して何も処理を行わず、当該画像データをそのまま後段の空間フィルタ部１５へ引き渡す（スルーする）。
【００７４】
空間フィルタ部１５は、黒生成／下色除去部１４より出力されたＲ’Ｇ’Ｂ’の画像データに対して、領域分離信号を基にデジタルフィルタによる空間フィルタ処理（強調処理、平滑化処理等）を行っている。つまり、空間フィルタ部１５では、印刷処理時と同様、領域分離信号に基づいて、画像領域毎に異なる画像処理が実行される。
【００７５】
変倍部１６は、空間フィルタ部１５から出力されたＲ’Ｇ’Ｂ’の画像データからなる画像の画素数を画像表示装置１０４の画素数に変換する間引き処理（画素数を減少する処理）を行う。画像形成装置１００の操作パネルに備えられる画像表示装置１０４は、印刷を行う画像データの解像度と比較すると低解像度であり、通常、極めて小型のディスプレイである。それゆえ、プレビュー表示時においては、画像データを間引く必要がある。また、変倍部１６では、画像形成装置に備えられる操作パネル（不図示）より入力される変倍コマンド（表示倍率を示す情報、例えば２〜４倍等の固定倍率）に基づいて画像の拡大や縮小処理がなされる。
【００７６】
出力階調補正部１７は、変倍部１６から出力されてきた画像データに対して、領域分離信号を基に出力γ補正処理を行っている。より具体的に説明すると、出力階調補正部１７は、領域分離信号を基に、画像領域に応じて異なるガンマ曲線を選択し、画像領域毎に出力γ補正処理の内容を異ならせている。例えば、文字以外の領域に対しては、画像表示装置１０４の表示特性に応じたガンマ曲線が選択され、文字領域に対しては、文字をくっきりと表示させるためのガンマ曲線が選択される。ここで、図５（ａ）は、画像表示装置１０４の表示特性に応じたガンマ曲線である。また、図５（ｂ）の実線で示される曲線は文字をくっきりと表示させるためのガンマ曲線である。なお、図５（ｂ）の破線は、画像表示装置１０４の表示特性に応じたガンマ曲線であり、文字をくっきりと表示させるためのガンマ曲線と比較するために図示したものである。
【００７７】
なお、本実施形態では、出力階調補正部１７は、領域分離信号に基づいてガンマ曲線の選択を行っているが、領域分離信号による選択を行わないで図５（ａ）のガンマ曲線のみを用いて出力階調補正を行うようにしても良い。
【００７８】
そして、中間調生成部１８は、出力階調補正部１７から出力されたＲ’Ｇ’Ｂ’の画像データに対して何も処理を行わず、当該画像データをそのまま後段の画像表示装置１０４へ引き渡す（スルーする）。これにより、画像表示装置１０４は、Ｒ’Ｇ’Ｂ’の画像データに基づいて、コピー対象となる画像のプレビューを表示できる。
【００７９】
なお、出力階調補正部１７において実行されている出力γ補正処理は、画質調整部１１にて実行されてもよい。
【００８０】
（１−３）各ブロックの動作/非動作について
以上のように、フルカラーモードの印刷時では、画質調整部１１〜中間調生成部１８のうち、２色化処理部１２は動作しないが、それ以外のブロックは全て動作することになる（図１参照）。これに対し、フルカラーモードのプレビュー表示時では、画質調整部１１〜中間調生成部１８のうち、２色化処理部１２と黒生成／下色除去部１４と中間調生成部１８とは動作しないが、それ以外のブロックは全て動作することになる（図３参照）。
【００８１】
また、２色カラーモードの印刷時では、画質調整部１１〜中間調生成部１８のうち、色補正部１３は動作しないが、それ以外のブロックは全て動作することになる（図２（ｂ）参照）。これに対し、２色カラーモードのプレビュー表示時では、画質調整部１１〜中間調生成部１８のうち、黒生成／下色除去部１４と中間調生成部１８とが動作しないが、それ以外のブロックは全て動作することになる（図４（ｂ）参照）。
【００８２】
さらに、シングルカラーモードの印刷時では、画質調整部１１〜中間調生成部１８のうち、２色化処理部１２と色補正部１３と黒生成／下色除去部１４とが動作しないが、それ以外のブロックは全て動作することになる（図２（ａ）参照）。これに対し、シングルカラーモードのプレビュー表示時では、画質調整部１１〜中間調生成部１８のうち、２色化処理部１２と黒生成／下色除去部１４と中間調生成部１８とが動作しないが、それ以外のブロックは全て動作することになる（図４（ａ）参照）。
【００８３】
（１−４）処理手順について
つぎに、コピアモード且つフルカラーモードが選択されている場合の処理手順の一例を図６に基づいて説明する。図６は、コピアモード且つフルカラーモードが選択されている場合の画像形成装置の処理手順の一例を示したフローチャートである。
【００８４】
画像形成装置１００は、コピアモードが選択され、スタートキーが押されると（Ｓ１にてＹＥＳ）、原稿をスキャンすることによって（Ｓ２）、ＲＧＢのアナログ信号を生成する。なお、Ｓ１のスタートキーを押す前において、利用者は、プレビュー表示の要否を示す設定情報を入力することにより、画像形成装置１００に対してプレビュー表示の有無を設定しているものとする。
【００８５】
Ｓ２の後、画像形成装置１００は、ＲＧＢのアナログ信号をＲＧＢの画像データ（デジタルデータ）に変換し（Ｓ３）、上記画像データに対してシェーディング補正を施し（Ｓ４）、シェーディング補正後のＲＧＢの画像データに対して入力γ補正処理を施す（Ｓ５）。Ｓ５の後、画像形成装置１００は、ＲＧＢの画像データに基づいて原稿種別判定処理および領域分離処理を行い（Ｓ６）、さらに、ＲＧＢの画像データを記憶装置１０７に保存する（Ｓ７）。
【００８６】
Ｓ７の後、画像形成装置１００は、「プレビュー表示有」が設定されているか否かを判定し（Ｓ８）、「プレビュー表示有り」が設定されていない場合はＳ９〜Ｓ１６を実行し、「プレビュー表示有」が設定されている場合はＳ１７〜Ｓ２３を実行することになる。以下では、まずＳ９〜Ｓ１６について説明し、その後、Ｓ１７〜Ｓ２３について説明する。
【００８７】
「プレビュー表示有」が設定されていない場合（Ｓ８においてＮＯ）、画像形成装置１００は、ＲＧＢの画像データを記憶装置１０７から読み出し、下地除去補正や鮮やかさの調整等の画質調整処理を行う（Ｓ９）。その後、画像形成装置１００は、スキャナの特性に応じたＲＧＢの画像データを、プリンタの特性に応じたＣＭＹの画像データに変換し（Ｓ１０）、さらに、ＣＭＹの画像データをＣＭＹＫの画像データに変換する（Ｓ１１）。その後、画像形成装置１００は、領域分離処理の結果を基にＣＭＹＫの画像データに対して空間フィルタ処理を行い（Ｓ１２）、空間フィルタ処理後のＣＭＹＫの画像データに対して変倍処理を施す（Ｓ１３）。Ｓ１３の後、画像形成装置１００は、ＣＭＹＫの画像データに対して出力γ補正処理および階調再現処理を行い（Ｓ１４，Ｓ１５）、当該画像データの画像を用紙に印刷し（Ｓ１６）、処理を終了する。
【００８８】
Ｓ８において「プレビュー表示有」が設定されていると判定された場合（Ｓ８においてＹＥＳ）、画像形成装置１００は、ＲＧＢの画像データを記憶装置１０７から読み出し、Ｓ９の画質調整処理と同じ画質調整処理を行う（Ｓ１７）。その後、画像形成装置１００は、スキャナの特性に応じたＲＧＢの画像データを、表示装置の特性に応じたＲ’Ｇ’Ｂ’の画像データに変換する（Ｓ１８）。Ｓ１８の後、画像形成装置１００は、領域分離処理の結果を基にＲ’Ｇ’Ｂ’の画像データに対して空間フィルタ処理を行い（Ｓ１９）、Ｒ’Ｇ’Ｂ’の画像データがディスプレイの解像度およびサイズに適合するものになるように当該Ｒ’Ｇ’Ｂ’の画像データに対して間引き処理を行う（Ｓ２０）。Ｓ２０の後、画像形成装置１００は、領域分離処理の結果を基に、Ｒ’Ｇ’Ｂ’の画像データに対して出力γ補正処理を行う（Ｓ２１）。Ｓ２１の後、画像形成装置１００は、Ｒ’Ｇ’Ｂ’の画像データに基づいてプレビュー表示を行う（Ｓ２２）。そして、Ｓ２２の後、プリント許可を示すコマンドが利用者から入力されると（Ｓ２３にてＹＥＳ）、画像形成装置１００は、記憶装置１０７に記憶されているＲＧＢの画像データを再度読み出し、この画像データに基づいてＳ９〜Ｓ１６の処理を実行して印刷を行う。これに対し、Ｓ２２の後、プリント取消を示すコマンドが利用者から入力されると（Ｓ２３にてＮＯ）、画像形成装置１００は処理を終了する。
【００８９】
（２）ファクシミリ送信モード
（２−１）送信処理時（画像送信ジョブ時）
図７は、図１の画像形成装置１００と同じ画像形成装置１００を示すブロック図であり、ファクシミリ送信モードにて送信処理を行う際の画像データの流れを示した図である。なお、Ａ/Ｄ（アナログ/デジタル）変換部２、シェーディング補正部３、入力処理部４、原稿種別自動判別部５、領域分離処理部６、圧縮部７、領域分離信号圧縮部８、復号部９の処理については、コピアモードの場合と同じであるため、以下ではその説明を省略する。
【００９０】
領域分離信号復号部１０は、ファクシミリ送信モードでは、記憶装置１０７から領域分離信号コードを読み出して復号化し、復号化した領域分離信号を空間フィルタ部１５へ送信する。
【００９１】
画質調整部１１は、復号部９から出力されたＲＧＢの画像データをＫの画像データ（グレーの濃淡を示す値）に変換する。なお、この変換は、所定のマトリクス係数や下記の式２を用いることによって行われる。
輝度値（Ｋの画像データの値）＝０．２９９ｒ＋０．５８７ｇ＋０．１１４ｂ    式２
ｒは赤の画像データの値（濃度値）であり、ｇは緑の画像データの値であり、ｂは青の画像データの値である。
【００９２】
２色化処理部１２、色補正部１３、黒生成／下色除去部１４は、画質調整部１１から出力されたＫの画像データ（信号）に対して何も処理を行わず、このＫの画像データをそのまま後段の空間フィルタ部１５へ引き渡す（スルーする）。
【００９３】
空間フィルタ部１５は、Ｋの画像データに対して、領域分離信号を基にデジタルフィルタによる空間フィルタ処理（強調処理，平滑化処理等）を行っている。変倍部１６は、送信解像度に応じてＫの画像データに対して変倍処理を行う。出力階調補正部１７は、変倍部１６から出力されたＫの画像データに対して出力γ補正処理（用紙等の記録媒体に出力するためのγ補正）を行う。中間調生成部１８は、例えば誤差拡散法によって、Ｋの画像データを２値化画像データに変換する。そして、２値化画像データは、不図示の回転処理部によって必要に応じて回転処理がなされ、不図示の圧縮／伸張処理部によって所定の形式で圧縮されて、不図示のメモリに格納される。
【００９４】
その後、送信装置（例えば、モデム）１０６は、相手先との送信手続きを行い送信可能な状態を確保すると、上記メモリに格納されている２値化画像データを所定の形式で圧縮された状態で読み出し、圧縮形式の変更など必要な処理を施し、通信回線を介して当該２値化画像データを相手先に順次送信する。
【００９５】
（２−２）プレビュー表示時
図８は、図１の画像形成装置１００と同じ画像形成装置１００を示すブロック図であり、ファクシミリ送信モードにてプレビュー表示処理を行う際の画像データの流れを示した図である。なお、ファクシミリ送信モードにおけるプレビュー表示とは、ファクシミリ送信前において当該ファクシミリ送信する画像のプレビュー表示を行う処理を意味する。
【００９６】
プレビュー表示時において、Ａ／Ｄ変換部２、シェーディング補正部３、入力処理部４、原稿種別自動判別部５、領域分離処理部６、圧縮部７、領域分離信号圧縮部８、復号部９、領域分離信号復号部１０、画質調整部１１、空間フィルタ部１５の処理は、ファクシミリの送信処理時と同じであるため、その説明を省略する。また、２色化処理部１２、色補正部１３、黒生成／下色除去部１４での処理は、ファクシミリの送信処理時と同じように、スルーされる。
【００９７】
但し、プレビュー表示時においては、送信処理時と異なり、図８に示すように、画質調整部１１から画像表示装置１０４に渡って各画素においてＫの画像データを３つ送信するようにしている（全て同一値）。これは、フルカラー仕様である画像表示装置１０４が１画素に対して３つの値（画像データ）を必要とするからである。
【００９８】
変倍部１６は、空間フィルタ部１５から出力されたＫの画像データからなる画像の画素数が画像表示装置１０４の表示サイズの画素数に適合するように、Ｋの画像データに対して間引き処理を行う。また、変倍部１６では、画像形成装置に備えられる操作パネル（不図示）より入力される変倍コマンド（表示倍率を示す情報、例えば２〜４倍等の固定倍率）に基づいて画像の拡大や縮小処理がなされる。
【００９９】
出力階調補正部１７は、変倍部１６から出力されたＫの画像データに対して、画像表示装置１０４の表示特性に応じたγ補正を行う。そして、中間調生成部１８は、出力階調補正部１７から出力されたＫの画像データに対して何も処理を行わず、当該Ｋの画像データをそのまま後段の画像表示装置１０４へ引き渡す（スルーする）。これにより、画像表示装置１０４は、Ｋの画像データに基づいて、ファックス送信の対象となる画像のプレビューを表示できる。
【０１００】
また、ファクシミリ送信モードのプレビュー表示処理時では、画質調整部１１において、ＲＧＢの画像データが３つのＫの画像データに変換される形態となっている。しかし、このような形態に限定されるものではなく、例えば、出力階調補正部１７まではＲＧＢの画像データをＫの画像データに変換することなく画像処理を行い、出力階調補正部１７から出力されたＲＧＢの画像データをブラウザによってＫの画像データに変換するような形態であってもよい。
【０１０１】
（２−３）各ブロックの動作/非動作について
以上のように、ファクシミリ送信モードの送信処理時では、画質調整部１１〜中間調生成部１８のうち、２色化処理部１２、色補正部１３、黒生成／下色除去部１４は動作しないが、それ以外のブロックは全て動作することになる（図７参照）。これに対し、ファクシミリ送信モードのプレビュー表示時では、画質調整部１１〜中間調生成部１８のうち、２色化処理部１２、色補正部１３、黒生成／下色除去部１４、中間調生成部１８は動作しないが、それ以外のブロックは全て動作することになる（図８参照）。
【０１０２】
（２−４）処理手順
つぎに、ファクシミリ送信モードにおける処理手順の一例を説明する。画像形成装置１００において「プレビュー表示有り」の設定がされていない状態で、利用者によってファックス送信コマンドが入力された場合、図７に示されるように画像データが処理され、当該画像データが外部装置へ送信されることになる。
【０１０３】
これに対し、画像形成装置１００において「プレビュー表示有り」の設定がされている状態で、利用者によってファックス送信コマンドが入力された場合、図８に示されるように画像データが処理されることによって、当該画像データが記憶装置１０７に保存され、且つ、当該画像データの画像のプレビューが画像表示装置１０４に表示される。そして、プレビューが表示されている状態において送信許可を示すコマンドが利用者から入力されると、記憶装置１０７の画像データが読み出され、読み出された画像データは図７に示されるように復号部９〜中間調生成部１８によって処理され、送信装置１０６によって外部装置に送信される。
【０１０４】
（３）ファクシミリ受信モード
（３−１）印刷処理時（画像印刷ジョブ時）
図９は、図１の画像形成装置１００と同じ画像形成装置１００を示すブロック図であり、ファクシミリ受信モードにて印刷処理を行う際の画像データの流れを示した図である。
【０１０５】
ファクシミリを受信する場合、受信装置１０５が、通信手続きを行いながら相手先から送信されてくるＫの画像データ（１ビット）を受信する。そして、受信装置１０５にて受信されたＫの画像データは、圧縮/伸張処理部（不図示）にて伸張処理が施され、回転処理部（不図示）にて必要に応じて回転処理が施され、解像度変換部（不図示）にて必要に応じて解像度変換処理が行なわれる。その後、当該画像データは、一旦、記憶装置１０７に保存される。
【０１０６】
さらに、記憶装置１０７に書き込まれた画像データは、制御部１０８によって画像処理装置１０２の復号部９に引き渡される。復号部９、画質調整部１１、２色化処理部１２、色補正部１３、黒生成／下色除去部１４、空間フィルタ部１５、変倍部１６、出力階調補正部１７および中間調生成部１８は、記憶装置１０７から送られてきた画像データに対して何も処理を行わず、当該画像データをそのまま後段の画像出力装置１０３へ引き渡す（スルーする）。画像出力装置１０３は、中間調生成部１８より送られてきたＫの画像データに基づいて記録媒体（例えば紙等）上に画像を形成する。なお、ファクシミリ受信モードにて印刷処理を行う場合、上記のように画像処理を行わないので、記憶装置１０７に格納されている画像データを直接画像出力装置１０３に出力するようにしても良い。
【０１０７】
（３−２）プレビュー表示時
図１０は、図１の画像形成装置１００と同じ画像形成装置１００を示すブロック図であり、ファクシミリ受信モードにてプレビュー表示処理を行う際の画像データの流れを示した図である。なお、ファクシミリ受信モードにおけるプレビュー表示とは、ファクシミリにて画像データを受信した場合、当該画像データの画像を印刷する前に印刷される画像のプレビュー表示を行う処理を意味する。
【０１０８】
ファクシミリ受信モードにおけるプレビュー表示時においても、ファクシミリ受信モードにおける印刷処理時と同様、記憶装置１０７に書き込まれた画像データは、制御部１０８によって画像処理装置１０２の復号部９に引き渡される。復号部９は、記憶装置１０７から送られてきた画像データに対して何も処理を行わず、不図示のビット数変換処理部に当該画像データを引き渡す（スルーする）。そして、ビット数変換処理部は、復号部９から受け取った画像データのビット数を変換し（例えば１ビットから８ビットへ変換）、ビット数変換された画像データを後段の画質調整部１１へ引き渡す。つまり、図示はしていないものの、図１０において復号部９と画質調整部１１との間にビット数変換処理部が備えられていることになる。
【０１０９】
画質調整部１１は、図１０に示すように、画素毎に、１つのＫの画像データを入力すると、このＫの画像データを３つ生成して出力している（全て同一値）。これは、フルカラー仕様である画像表示装置１０４が１画素に対して３つの値を必要とするからである。
【０１１０】
その後、２色化処理部１２、色補正部１３、黒生成／下色除去部１４は、画質調整部１１から送られてきたＫの画像データに対して何も処理を行わず、当該画像データをそのまま後段の空間フィルタ部１５へ引き渡す（スルーする）。空間フィルタ部１５は、Ｋの画像データに対してデジタルフィルタを用いてぼかし処理等を行う。
【０１１１】
変倍部１６は、空間フィルタ部１５から出力されたＫの画像データからなる画像の画素数が画像表示装置１０４の表示サイズの画素数に適合するように、Ｋの画像データに対して間引き処理を行う。また、変倍部１６では、画像形成装置１００に備えられる操作パネル（不図示）より入力される変倍コマンド（表示倍率を示す情報、例えば２〜４倍等の固定倍率）に基づいて画像の拡大や縮小処理がなされる。
【０１１２】
出力階調補正部１７は、変倍部１６から出力されたＫの画像データに対して、画像表示装置１０４の表示特性に応じた出力γ補正処理を行う。そして、中間調生成部１８は、出力階調補正部１７から出力されたＫの画像データに対して何も処理を行わず、当該画像データをそのまま後段の画像表示装置１０４へ引き渡す（スルーする）。これにより、画像表示装置１０４は、Ｋの画像データに基づいて、ファックス受信された画像のプレビューを表示できる。
【０１１３】
（３−３）各ブロックの動作/非動作について
以上のように、ファクシミリ受信モードの印刷処理時では、画質調整部１１〜中間調生成部１８は動作しない（図９参照）。これに対し、ファクシミリ受信モードのプレビュー表示時では、画質調整部１１〜中間調生成部１８のうち、２色化処理部１２、色補正部１３、黒生成／下色除去部１４、中間調生成部１８は動作しないが、それ以外のブロックは全て動作することになる（図１０参照）。
【０１１４】
（３−４）処理手順
つぎに、ファクシミリ受信モードの処理手順の一例を説明する。画像形成装置１００においてファクシミリによって画像データが受信された場合、受信された画像データは一旦記憶装置１０７に書き込まれる。ここで、画像データが記憶装置１０７に書き込まれてから画像の印刷が行われるまでにはタイムラグがあるが、このタイムラグ中に利用者から「プレビューコマンド」が入力された場合、上記画像データは図１０に示されるような流れで処理され、当該画像データの画像のプレビューが画像表示装置１０４に表示される。また、画像の印刷が行われる際は、図９に示されるような流れで処理され、当該画像データの画像が画像出力装置１０３にて印刷されることになる。
【０１１５】
（４）イメージ送信モード
（４−１）送信処理時（画像送信ジョブ時）
イメージ送信モードの送信処理時にて画像形成装置１００を動作させる場合、画像入力装置１０１、Ａ/Ｄ（アナログ/デジタル）変換部２、シェーディング補正部３、入力処理部４、原稿種別自動判別部５、領域分離処理部６、圧縮部７、領域分離信号圧縮部８、復号部９の処理内容は、コピアモードの場合と同じである。なお、領域分離信号復号部１０は空間フィルタ部１５および出力階調補正部１７に対して領域分離信号を供給している。
【０１１６】
そして、画質調整部１１にて下色除去やカラーバランス調整が行われ、色補正部１３において、一般に普及している表示装置の表示特性に適合したＲ”Ｇ”Ｂ”の画像データ（例えば、ｓＲＧＢデータ）に変換され、空間フィルタ部１５にて領域分離信号を基にデジタルフィルタによる空間フィルタ処理（強調処理，平滑化処理）が行われている。変倍部１６にて画像の拡大や縮小処理が行われる。また、出力階調補正部１７では、例えば、文字領域に対しては図５（ｂ）のガンマ曲線を用いた補正が行われ、文字以外の領域に対しては図５（ａ）のガンマ曲線を用いた補正が行われる。なお、２色化処理部１２、黒生成／下色除去部１４は、入力される画像データに対して処理を行わず、この画像データをそのまま後段のブロックにスルーする。したがって、出力階調補正部１７から出力されるのはＲ”Ｇ”Ｂ”の画像データである。
【０１１７】
さらに、出力階調補正部１７から出力されるＲ”Ｇ”Ｂ”の画像データは、図示しないフォーマット変換処理部にてＰＤＦファイル等の画像ファイルに変換される。そして、イメージ送信モードのscan to e-mailモードにおいて、当該画像ファイルは図示しないメール処理部（ジョブ装置）にて電子メールに添付され、当該電子メールがネットワークを介して相手先に送信されることになる。また、イメージ送信モードのscan to ftpモードにおいて当該画像ファイルは所定のフォルダに送信され、イメージ送信モードのscan to usbモードにおいて当該画像ファイルは所定のＵＳＢメモリに送信される。
【０１１８】
（４−２）プレビュー表示時
イメージ送信モードのプレビュー表示時にて画像形成装置１００を動作させる場合、画像入力装置１０１、Ａ/Ｄ（アナログ/デジタル）変換部２、シェーディング補正部３、入力処理部４、原稿種別自動判別部５、領域分離処理部６、圧縮部７、領域分離信号圧縮部８、復号部９、領域分離信号復号部１０、画質調整部１１、２色化処理部１２の処理内容は、イメージ送信モードの送信時と共通である。
【０１１９】
そして、イメージ送信モードのプレビュー表示時において、色補正部１３は、ＲＧＢの画像データを画像表示装置１０４の色空間に適合するＲ’Ｇ’Ｂ’の画像データへ変換する処理を行う。
【０１２０】
その後、送信時と同様、空間フィルタ部１５にて領域分離信号を基にデジタルフィルタによる空間フィルタ処理（強調処理，平滑化処理）が行われている。変倍部１６にて画像表示装置１０４のサイズに適合するように間引き処理が行われる。また、出力階調補正部１７では、例えば、文字領域に対しては図５（ｂ）のガンマ曲線を用いた補正が行われ、文字以外の領域に対しては図５（ａ）のガンマ曲線を用いた補正が行われる。
【０１２１】
そして、出力階調補正部１７から出力されるＲ’Ｇ’Ｂ’の画像データは画像表示装置１０４に供給され、画像表示装置１０４はＲ’Ｇ’Ｂ’の画像データに基づいてプレビュー表示を行う。
【０１２２】
（５）変形例
図１に示した画像形成装置１００では、圧縮画像データ（符号化コード）と領域分離信号コードとを対応付けて記憶装置１０７に格納している。しかし、図１１に示す画像形成装置１００ａのように、画像入力装置１０１にて画像データを読み取った後、領域分離処理および原稿種別判別処理を行う前に、読み取った画像データを符号化して一旦記憶装置１０７に格納しておき、記憶装置１０７から読み出して復号化した画像データについて原稿種別判別処理や領域分離処理を施すように構成しても良い。
【０１２３】
また、図１に示した画像形成装置１００は、コピアモード・プリントモード・ファクシミリ送信モード・ファクシミリ受信モード・イメージ送信モード等のジョブの選択中に画像ファイリングモード（画像ファイリングジョブ）を実行可能としてもよい。この画像ファイリングモードとは、コピアモード等のジョブの選択中において、画像入力装置１０１にて得られた画像データまたは外部から受信した画像データに基づいて画像ファイル（ＪＰＥＧ、ＴＩＦＦファイル等）を作成し、この画像ファイルを記憶装置１０７に保存するモードである。
【０１２４】
ここで、画像ファイリングモードのファイリング時において、画像入力装置１０１にて得られた画像データまたは外部から受信した画像データは画像処理装置１０２にて画像ファイル（ＪＰＥＧ、ＴＩＦＦファイル等）に変換され、その後、不図示のファイリング処理部（ジョブ装置）に送られ、このファイリング処理部が上記画像ファイルを記憶装置１０７に保存されるようになっている。
【０１２５】
また、各ジョブ（コピアモード・プリントモード・ファクシミリ送信モード等）の選択中においてプレビューを行う場合、画像ファイリングモードの実行の有無に拘わらず、画像入力装置１０１にて得られた画像データまたは外部から受信した画像データは画像処理装置１０２にて処理され、その後、画像表示装置１０４に送られるようになっている。さらに、各ジョブの選択中においてプレビューを行う場合、画像ファイリングモードの実行の有無に拘わらず、画像処理装置１０２にて実行される画像処理の内容は同一である。例えば、コピアモードのプレビュー表示時、画像ファイリングモードの実行の有無に関係なく、画像処理装置１０２の処理内容は図３に示すものとなる。また、ファクシミリ送信モードのプレビュー表示時、画像ファイリングモードの実行の有無に関係なく、画像処理装置１０２の処理内容は図８に示すものとなる。
【０１２６】
（６）本実施形態の画像処理装置の利点について
本実施の形態の画像処理装置１０２は、印刷ジョブ(コピアモード、プリントモード)を行う画像出力装置（ジョブ装置，印刷装置）１０３に対して画像データを供給し、上記印刷ジョブの実行前に画像表示装置１０４にプレビューを表示させるために、上記画像データを画像表示装置１０４に供給するものである。
【０１２７】
そして、画像処理装置１０２は、画像出力装置１０３に供給される画像データに対して実行される第１画像処理と、画像表示装置１０４に供給される画像データに対して実行され且つ第１画像処理とは異なる第２画像処理とを、両画像処理に共通の回路領域を用いて実行する第１画像処理部を含んでいる。ここで、第１画像処理部の一例としては、コピアモード且つフルカラーモードにおける色補正部１３が挙げられる。この色補正部１３においては、ＲＧＢからＣＭＹへの変換処理（第１画像処理）と、ＲＧＢからＲ’Ｇ’Ｂ’への変換処理（第２画像処理）とを共通の回路領域にて行っているからである。
【０１２８】
これにより、印刷処理等用の画像処理のみならず、印刷処理前のプレビュー用の画像処理を行う画像処理装置であっても、画像処理回路の回路規模を抑制できるという効果を奏する。
【０１２９】
また、本実施形態では、コピアモード且つフルカラーモードの印刷時、色補正部１３は、スキャナにて読み取られ且つスキャナの特性に応じた加法混色用の画像データ（ＲＧＢ）を、画像出力装置１０３の特性に応じた減法混色用の画像データ（ＣＭＹ）に変換する処理を行っている。これに対し、コピアモード且つフルカラーモードのプレビュー時、色補正部１３は、スキャナにて読み取られ且つスキャナの特性に応じた加法混色用の画像データ（ＲＧＢ）を、画像表示装置１０４の特性に応じた加法混色用の画像データ（Ｒ’Ｇ’Ｂ’）に変換する処理を行っている。つまり、プレビュー表示時、スキャナの特性に応じた加法混色用の画像データを画像表示装置１０４の特性に応じた加法混色用の画像データに直接変換している。したがって、本実施形態の画像処理装置１０２によれば、コピアモード且つフルカラーモードのプレビュー表示時、ＲＧＢの画像データからＲ’Ｇ’Ｂ’の画像データへの１回の非線形変換を行っているものの、特開平９−１３５３１６号公報の構成のように複数回の非線形変換を行うことがないため、変換誤差の蓄積を抑制でき、色再現性の低下を抑制できる。なお、特開平９−１３５３１６号公報では、ＲＧＢのデータからＣＭＹのデータへの変換、ＣＭＹのデータからＣＭＹＫのデータへの変換、ＣＭＹＫのデータからＣＭＹのデータへの変換、ＣＭＹのデータからＲＧＢのデータへ変換の計４回の変換が行われているため、変換誤差が蓄積され、色再現性が低下してしまう。
【０１３０】
また、本実施形態では、コピアモード且つシングルカラーモードのプレビュー時、または、コピアモード且つ２色カラーモードのプレビュー時、上記非線形変換を行っているものの、非線形変換の回数は２回のみであるため、計４回の非線形変換を行っている特開平９−１３５３１６号公報の構成よりも色再現性の低下を抑制できる。
【０１３１】
さらに、本実施形態では、コピアモード且つフルカラーモードの印刷時、黒生成／下色除去部１４においては、ＣＭＹの画像データをＣＭＹＫの画像データに変換する処理が行われる一方、コピアモード且つフルカラーモードのプレビュー表示時、黒生成／下色除去部１４においては、Ｒ’Ｇ’Ｂ’に対して処理を施さずにそのまま出力している。これにより、ＣＭＹからＣＭＹＫに変換する処理（黒生成／下色除去処理）を行う必要がある印刷用の画像データと、黒生成／下色除去処理を行う必要の無いプレビュー用の画像データとについて、画像処理回路内での画像データの経路を共通にでき、回路構成を簡略化できる。
【０１３２】
なお、本実施形態の画像処理装置１０２においては、原稿種別自動判別部５の判別結果に基づく画像処理,領域分離処理部６の処理結果に基づく画像処理,下地除去処理を行うことが可能であり、これら処理の効果は画像表示装置１０４に表示されるプレビュー画像にも反映される。
【０１３３】
〔実施の形態２〕
本実施形態では、ブランク原稿を飛ばしてプレビュー表示を行う処理を行う。よって、ブランク原稿はプレビュー表示されない。ここで、ブランク原稿（白紙原稿）とは、下地がカラーであっても白であっても、画像が形成されていない原稿、つまり無地原稿を指す。本実施形態の画像形成装置の構成は、実施の形態１の画像形成装置１００と同様の構成であり、同様の処理を行うため、同じ参照符号を用いる。
【０１３４】
（原稿種別自動判別部の構成）
本実施形態では画像入力装置１０１から読み込まれた画像データについて、カラーモードの設定（フルカラー、シングルカラー、二色カラーの選択、カラーモノクロ判定の結果）、カラー読取／白黒読取の設定（スタートボタンの選択）、白紙飛ばしモードの設定等のモードの設定（選択）に係わらず、ブランク原稿の検知を行う。ブランク原稿を検知するために、画像入力装置１０１にて読み取った原稿の画像データであり、画像入力装置（原稿読取装置）１０１から画像処理装置１０２に入力された画像データ（入力画像データ）について、この入力画像データが無地原稿の画像データであるか否かの判定を行う。
【０１３５】
ブランク原稿の判定処理は、原稿種別自動判別部５にて行う。原稿種別自動判別部５は、図１２に示すように、原稿種別判定部５１、カラーモノクロ判定部５２、ブランク原稿判定部５３を有している。
【０１３６】
原稿種別判定部５１は、画像入力装置１０１にて読み取られた原稿が、例えば、文字原稿、印刷写真原稿、印画紙写真原稿、文字印刷写真原稿、文字印画紙写真原稿の何れであるのかの判別を行う。判別結果は、原稿種別判定信号として出力される。
【０１３７】
カラーモノクロ判定部５２は、画像入力装置１０１にて読み取られた原稿が、カラー原稿であるのか、白黒原稿であるのかの判定を行う。判別結果は、カラーモノクロ判定信号として出力される。
【０１３８】
ブランク原稿判定部５３は、画像入力装置１０１にて読み取った原稿の画像データであり、画像入力装置１０１から画像処理装置１０２に入力された画像データ（入力画像データ）が、無地原稿の画像データであるか否かの判定を行う。ここでは、画像入力装置１０１にて読み取られた原稿が、無地（カラーの無地も含む）の原稿、つまり、ブランク原稿であるのか否かを判定する。判別結果は、ブランク原稿判定信号として出力される。画像入力装置１０１にて読み取られた原稿がブランク原稿であると判定された画像データにタグ（ブランク原稿判定信号）を付ける。ブランク原稿の判定方法の例については後述する。
【０１３９】
よって、原稿種別自動判別部５から出力されるＲＧＢの画像データには、原稿種別判定信号と、カラーモノクロ判定信号と、ブランク原稿判定信号が付加されている。あるいは、原稿種別判定信号の一つにブランク原稿判定信号を含め、ＲＧＢ画像データに、原稿種別判定信号とカラーモノクロ判定信号を付加するようにしても良い。 
【０１４０】
ここで、本実施形態では、画像入力装置１０１にて原稿を読み取る読取モードとして、静止読取モードと走行読取モードとがある。静止読取モードでは、原稿を静止させて原稿画像を読み取る。このモードでは、以下の画像入力装置１０１の説明欄に記載するように、原稿セットトレイに原稿がセットされていない状態（原稿セット検出センサで原稿が検知されない状態）で読み取る場合、すなわち、原稿台に原稿を置いて読み取る場合である。走行読取モードでは、原稿を搬送させながら画像を読み取る。このモードでは、以下の画像入力装置１０１の説明欄に記載するように、原稿セットトレイに原稿がセットされた状態（原稿セット検出センサで原稿が検知された状態、あるいは、操作パネルより両面読取モードが選択されたとき）で読み取る場合である。
【０１４１】
これら両方の読取モードにおいて上記ブランク原稿の検知を行ってもよいが、走行読取モードのときのみ、ブランク原稿の検知を行うようにしてもよい。これは、静止読取モードでは、ユーザは原稿を１枚ずつ原稿台にセットするため、ユーザが原稿を確認する場合もあり、ブランク原稿を読み取る確率は小さい。他方、走行読取モードであると、自動的に原稿が搬送されるが、搬送する前に原稿をいちいちユーザが確認しない場合もあるので、ブランク原稿を読み取る確率は高くなる。そこで、走行読取モードの場合に、ブランク原稿の検知を行うと、無駄なく効率よく処理できる。
【０１４２】
ブランク原稿の検知が行われた画像データは、記憶装置１０７にて記憶される。これら画像データの中で、ブランク原稿であると判定された画像データにはブランク原稿であることを示すタグが付けられて記憶装置１０７に記憶される。本実施形態では、制御部（プレビュー制御部）１０８は、記憶装置１０７から入力画像データを読み出し、画像表示装置１０４にてプレビュー表示する際、ブランク原稿判定部５３にてブランク原稿の画像データであると判定された入力画像データ、つまり、ブランク原稿であることを示すタグが付いた画像データをプレビュー表示の対象外とする。
【０１４３】
（ブランク原稿判定）
次に、ブランク原稿の判定方法について説明する。判定方法としては、例えば、特願２００７−２６４９２２に記載の以下の（１）〜（８）の方法を用いることができる。
（１）ＲＧＢの各プレーン毎（色成分毎）で注目画素を含む複数の画素よりなるブロック（例えば７×７画素）の平均値を算出し、注目画素の画素値とする。
（２）ＲＧＢの各プレーン毎（色成分毎）で、注目画素を含む複数の画素からなるブロック（例えば７×７画素）の最大濃度差を算出し、エッジ判定閾値と比較し、上記ブロックの注目画素がエッジ画素に属するかを判定する。すなわち、複数の色成分のうち、何れかの最大濃度差がエッジ判定閾値（例えば、３０）以上である場合、注目画素はエッジ画素であると判定する。エッジを判定する方法は、上記最大濃度差の他に分散値を求め、分散値が閾値以上のときエッジ画素であると判定するようにしてもよい。
（３）（２）において、エッジ画素と判定された画素をカウントする。
（４）（１）で算出された注目画素の各プレーン毎（色成分毎）の平均値の比較を行い、注目画素毎に、色成分毎の平均値の最大値と最小値を算出し、最大値と最大値と最小値の差分（以下最大差と記述）のそれぞれヒストグラムを生成する。
（５）エッジ画素カウント数が第１判定閾値よりも大きければ、文字領域か網点領域が存在することになり、ブランク原稿でないと判定する。
（６）エッジ画素カウント数が第１判定閾値（例えば、５０００）以下であれば、ブランク原稿あるいは印画紙写真原稿であると判定する。
（７）ブランク原稿あるいは印画紙写真原稿であると判定された場合、色成分毎の平均値の最大値と最大差のそれぞれのヒストグラムの度数値が第２判定閾値（例えば、５００）よりも大きい区分数の合計値を算出し、それぞれを最大値ヒストグラム原稿濃度幅と最大差ヒストグラム原稿濃度幅とする。
（８）算出された最大値ヒストグラム原稿濃度幅と最大差ヒストグラム原稿濃度幅のそれぞれが、第３判定閾値（例えば、３）よりも小さければ、ブランク原稿であると判定する。
【０１４４】
上記の方法では、エッジ画素の判定を行っているが、エッジ画素の判定を行わずに、色成分毎のブロックの平均値を用いて、色成分毎の平均値の最大値と最大差を算出し、最大値と最大差のそれぞれのヒストグラムを生成して、ブランク原稿であるか否かの判定を行うようにしてもよい。この場合、最大値ヒストグラム原稿濃度幅と最大差ヒストグラム原稿濃度幅の判定以外に、最大差ヒストグラム原稿濃度幅の数（濃度区分数）を検知し、最大値ヒストグラム原稿濃度幅と最大差ヒストグラム原稿濃度幅のそれぞれが、第３判定閾値（例えば、３）よりも小さく、最大差ヒストグラム原稿濃度幅の数が１の場合、ブランク原稿であると判定すればよい。
【０１４５】
なお、ブランク原稿の判定方法は、上記の方法に限定されるものではなく、例えば、黒画素や白画素の画素数を計数し、これらの値を閾値処理してブランク原稿の判定を行ってよい。
【０１４６】
（プレビュー表示）
次に、白紙原稿を飛ばしてプレビュー表示する処理について図１３のフローチャートを用いて説明する。ここでは、画像データを送信する画像送信ジョブ時の例を用いて説明する。なお、画像印刷ジョブ時、画像ファイリングジョブ時でも同様の処理が行われる。
【０１４７】
図１３に示すように、画像入力装置（原稿読取装置）１０１に原稿がセットされたことを検知し（Ｓ１０１）、プレビュー確認選択の入力を確認すると（Ｓ１０２）、画像入力装置１０１が原稿の読み取りを開始する（Ｓ１０３）。なお、Ｓ１０１の原稿の検知は、後述する原稿セット検出センサ１３２にて行う。
【０１４８】
Ｓ１０２の処理が行われる際、プレビュー確認選択の入力はユーザにより行われる。ユーザは、画像形成装置１００の入力インターフェイスとしての機能を有する画像表示装置１０４を介して入力を行う。画像送信ジョブ時（イメージ送信モード選択時）に、画像表示装置１０４に表示される基本画面を図１４に示す。図１４の基本画面において「特別機能」ボタンａを押す（選択する）と、図１５に示すように現時点で選択できる特別機能が表示される。この画面にて、白紙原稿を飛ばしてプレビュー表示する白紙飛ばしモードを選択する「白紙飛ばし」ボタンｂを選択し、「ＯＫ」ボタンｃを押すと、図１４の基本画面に戻る。この基本画面において、「プレビュー確認」ボタンｄを押し、操作パネルのスタートボタン（不図示）を押圧することで、原稿の読み取りが開始される。また、白紙飛ばしモードを選択せず、操作パネルのスタートボタン（不図示）を押しても、原稿の読み取りが行われる。
【０１４９】
また、「白紙飛ばし」だけでなく、図１９に示すように白紙原稿と裏写り原稿とを飛ばしてプレビュー表示するモードを選択するための「白紙と裏写り原稿を飛ばす」ボタンｈを設定してもよい。「白紙と裏写り原稿を飛ばす」場合は、上記ブランク原稿（白紙原稿）の判定方法において、エッジ判定閾値を例えば４０、エッジ画素カウント数に対する第１判定閾値を例えば７０００、最大値ヒストグラム原稿濃度幅と最大差ヒストグラム原稿濃度幅に対する第３判定閾値を例えば５というように、白紙原稿のみを飛ばす場合と比較して高い値に設定される。
【０１５０】
読み取られた原稿の画像データは、画像処理装置１０２に入力され、Ａ／Ｄ変換部２、シェーディング補正部３、入力処理部４、では、実施の形態１と同様の処理が行われる。そして、原稿種別自動判別部５では、原稿種別判定の処理（Ｓ１０４）、カラーモノクロ判定の処理（Ｓ１０５）、ブランク原稿判定の処理（Ｓ１０６）が行われる。なお、Ｓ１０４〜Ｓ１０６の処理の順番は限定されておらず、どの処理が先に行われても、あるいは同時に行われても構わない。また、領域分離処理部６、圧縮部７、領域分離信号圧縮部８にて、実施の形態１と同様の処理が行われ、画像データは記憶装置１０７に格納される（Ｓ１０７）。
【０１５１】
本実施形態では、Ｓ１０２にてプレビュー確認が選択されているので、記憶装置１０７から画像データを読み出し（Ｓ１０８）、実施の形態１と同様に後段の各処理が行われ、画像表示装置１０４にてプレビュー表示が行われる（Ｓ１０９）。
【０１５２】
Ｓ１０８の画像データの読み出し時に、Ｓ１０２にて白紙飛ばしモードが選択されていると、ブランク原稿のタグが付された画像データは読み出されない。よって、Ｓ１０９では、ブランク原稿のタグが付された画像データは、画像表示装置１０４にて表示されない。つまり、ブランク原稿を飛ばしたプレビュー表示が行われる。なお、画像表示装置１０４の一画面に表示しきれない場合には、複数の画面にて表示するものとする。
【０１５３】
Ｓ１０８の画像データの読み出し時に、Ｓ１０２にて白紙飛ばしモードが選択されていないと、ブランク原稿を含む今回の処理で読み取られた全ての画像データを読み出す。よって、Ｓ１０９では、ブランク原稿を含む今回の処理で読み取られた全ての画像データが画像表示装置１０４にて表示される。
【０１５４】
その後、白紙飛ばしモードの選択の入力があるか否を確認する（Ｓ１１０）。Ｓ１１０の処理が行われる際、白紙飛ばしモードを選択する入力はユーザにより行われる。ユーザは、図１６に示すプレビュー画面より、「再設定」ボタンｅを押すと、図１７に示す再設定画面が表示される。再設定画面の「特別機能」ボタンｆを押すと、図１５に示す現時点で選択できる特別機能が表示される。図１５の「白紙飛ばし」ボタンｂを選択し、「ＯＫ」ボタンｃを押すと、図１７の再設定画面に戻る。この再設定画面において、「再プレビュー」ボタンｇ押すことで、白紙飛ばしモードが選択される。
【０１５５】
白紙飛ばしモードの選択の入力があると判定すると（Ｓ１１０にてＹＥＳ）、記憶装置１０７から、ブランク原稿のタグが付されていない画像データを読み出し、再プレビュー表示を行う（Ｓ１１２）。この再プレビュー表示では、ブランク原稿のタグが付された画像データは、画像表示装置１０４にて表示されない。つまり、ブランク原稿を飛ばしたプレビュー表示（再プレビュー表示）が行われる。この再プレビュー表示後、あるいは、白紙飛ばしモードの選択の入力がないと判定すると（Ｓ１１０にてＮＯ）、ユーザからの設定変更の入力があるか否を確認する（Ｓ１１３）。この設定変更は、例えば、カラー画像をモノクロ画像に変換してプレビュー表示する等の処理でもよい。
【０１５６】
設定変更の入力があると判断すると（Ｓ１１３にてＹＥＳ）、Ｓ１１１、Ｓ１１２を繰り返す。ここで、Ｓ１１２での再プレビュー表示は、入力された設定変更に基づくものとなる。なお、上記では、Ｓ１１３の後、Ｓ１１１で画像データを再度読み出しているが、Ｓ１１３にて変更する設定内容によっては、Ｓ１１１を飛ばしてＳ１１２の再プレビュー表示のみ行っても構わない。設定変更の入力がないと判断すると（Ｓ１１３にてＮＯ）、画像データを送信し（Ｓ１１４）、処理が終了する。
【０１５７】
以上のように画像処理装置１０２では、予め白紙飛ばしモードが選択されていない場合（予めブランク原稿を飛ばしてプレビュー表示するように設定していない場合）でも、原稿の再読込みを行うことなく、ブランク原稿の判定結果（ブランク原稿であることを示すタグ）を参照することで、ブランク原稿の画像データを飛ばして、ブランク原稿ではない原稿の画像データを記憶装置１０７から読み出して画像表示装置１０４にてプレビュー表示することができる。よって、ブランク原稿を飛ばしてプレビュー表示でき、ユーザに使い勝手のよい画像処理装置を提供することができる。
【０１５８】
（画像入力装置）
次に画像入力装置（原稿読取装置）１０１の構成について説明する。図１８は、画像入力装置１０１の構成の一例を示す図である。図１８に示すように、画像入力装置１０１は、下部筐体１１１、上部筐体１１２、排紙トレイ１１３を有している。
【０１５９】
図１８に示すように、下部筐体１１１は、第１読取部１１４、第１コンタクトガラス１１５を有している。第１読取部１１４は、第１走査ユニット１１６、第２走査ユニット１１７、結像レンズ１１８、ＣＣＤ（Charge Coupled Device）１１９、第２コンタクトガラス１２０を備えている。
【０１６０】
第１コンタクトガラス１１５は、静止読取モードで読み取る原稿を載置するための台である。
【０１６１】
第１走査ユニット１１６は、第１コンタクトガラス１１５に沿って左から右に一定速度Ｖで移動しながら、原稿に露光するものである。第１走査ユニット１１６は、光源（露光ランプ）１２１、原稿からの反射光を第２走査ユニット１１７に導く第１反射ミラー１２２を有している。
【０１６２】
第２走査ユニット１１７は、第１走査ユニット１１６に追随してＶ／２の速度で移動するようになっており、第１反射ミラー１２２からの光を結像レンズ１１８を介してＣＣＤ１１９に導く第２反射ミラー１２３・第３反射ミラー１２４を備えている。
【０１６３】
結像レンズ１１８は、第３反射ミラー１２４からの反射光を、ＣＣＤ１１９上で結像させるものである。
【０１６４】
ＣＣＤ１１９は、結像レンズ１１８からの光をアナログの電気信号に変換するものである。なお、この電気信号は、画像処理装置１０２によってデジタルの画像データに変換される。
【０１６５】
また、この第１読取部１１４は、第１コンタクトガラス１１５上に載置された原稿の読み取りに加えて、後述するように、上部筐体１１２の備える部材によって搬送されている原稿の画像を読み取る機能も有している。
【０１６６】
また、第１コンタクトガラス１１５上の原稿を読み取る際には、第１走査ユニット１１６は、図１８のＰｏｓ１の位置からＰｏｓ２の位置の方向に、原稿サイズ検出手段（不図示）で検出された原稿サイズに応じて所定距離だけ移動する。一方、搬送されている原稿を読み取る際には、図１８のＰｏｓ３の位置に停止している。また、待機中には、図１８中のＰｏｓ１の位置とＰｏｓ３の位置との中間のＰｏｓ０（不図示）の位置（ホームポジション）に、停止している。
【０１６７】
また、第１コンタクトガラス１１５の端部前側には、原稿基準板（不図示）が備えられており、第１コンタクトガラス１１５に載置する原稿のサイズ・載置方向を示す指標が示されている。従って、ユーザは、この指標に従って、第１コンタクトガラス１１５に原稿を容易に載置できる。
【０１６８】
上部筐体１１２は、第２読取部１２５を備えている。第２読取部１２５は、原稿セットトレイ１２６に載置された原稿の画像を読み取るためのものであり、原稿搬送部１２７、イメージセンサ部１２８、原稿搬送路１２９、原稿排出部１３０を備えている。
【０１６９】
原稿搬送部１２７は、原稿セットトレイ１２６に載置された原稿を第２読取部１２５内部に取り入れ、原稿搬送路１２９上を搬送させるものである。
【０１７０】
イメージセンサ部（CIS：Contact Image Sensor）１２８は、原稿搬送路１２９を走行する原稿を読み取るためのものである。原稿排出部１３０は、イメージセンサ部１２８によって読み取られた後の原稿を、排紙トレイ１１３に排出するものである。
【０１７１】
原稿搬送部１２７は、給送補助ローラ１３１、原稿セット検出センサ１３２、原稿抑え板１３３、摩擦パッド１３４、給送タイミングセンサ１３５、給送ローラ１３６、整合ローラ対１３７を備えている。
【０１７２】
給送補助ローラ１３１および原稿抑え板１３３は、原稿セット検出センサ１３２に検知された原稿を、第２読取部１２５内部に引き入れるものである。摩擦パッド１３４、給送ローラ１３６、および整合ローラ対１３７は、給送タイミングセンサ１３５の検知結果に基づいて、引き込まれた原稿を１枚ずつイメージセンサ部１２８に導くものである。
【０１７３】
なお、整合ローラ対１３７は、その駆動軸に電磁クラッチ（図示せず）を備えており、駆動モータ（図示せず）からの駆動力の伝達を制御できるようになっており、原稿のない状態では停止している。そして、原稿の先端が給送タイミングセンサ１３５に接触し、このセンサから所定の信号が伝達されたときに、原稿を下流側に搬送する方向に回動するように設定されている。整合ローラ対１３７は、停止した状態で、摩擦パッド１３４及び給送ローラ１３６により上流側より搬送された原稿の先端が、整合ローラ対１３７のニップ部に付き当たり、原稿に所定の撓みを形成した後に、下流側に原稿を搬送するように回動する。この際に、整合ローラ対１３７のニップ部により、原稿の先端が搬送方向に直角となるように整合される。さらに、整合ローラ対１３７は、第２コンタクトガラス１２０との間で、原稿搬送路１２９の一部を形成している。
【０１７４】
原稿排出部１３０は、原稿排出ローラ対１３８および原稿排出センサ１３９を備えている。原稿排出ローラ対１３８の上側ローラは、駆動側のローラであり、上部筐体１１２の左側部に一体的に設けられて、上部筐体１１２中の駆動機構により駆動されている。原稿排出ローラ対１３８の上側ローラは、下部筐体１１１側に回転自在に設けられた原稿排出ローラ対１３８の下側ローラ（従動ローラ）とで、原稿搬送路１２９を通った原稿を、挟持搬送して、排紙トレイ１１３上に排出する機能を有している。
【０１７５】
また、原稿排出センサ１３９は、原稿排出ローラ対１３８の下流側に配置されており、原稿の排出を、原稿の読取を制御する読取制御部（不図示）に伝達するものである。
【０１７６】
次に、画像入力装置１０１における原稿の読み取り処理について説明する。画像入力装置１０１では、原稿を静止させて画像を読み取る静止読取モード、原稿を搬送させながら画像を読み取る走行読取モードにて、原稿の読み取りを行う。さらに、走行読み取りモードでは、原稿の片面を読み取る片面モード、両面の画像を読み取る両面モードが選択できる。これらのモード（読取モード）は、画像表示装置１０４の操作パネル（不図示）から設定することができるようになっている。
【０１７７】
例えば、原稿セットトレイ１２６に原稿がセットされ、原稿セット検出センサ１３２で原稿が検知された状態で、操作パネルでコピアモードが選択されてスタートボタンが押されると、走行読取モードで読み取るように設定されている。この走行読取モードにて読み取る際は、上記操作部にて片面あるいは両面モードが選択できるように設定されている。また、原稿セットトレイ１２６に原稿がセットされていない状態（原稿セット検出センサで原稿が検知されない状態）で、スタートボタンが押されると、静止読取モードで読み取りを行うよう設定されている。これらの方法にてモード設定がなされるが、設定方法はこれらに限定されない。
【０１７８】
静止読取モードが設定されていると、片面モードだけが選択可能となり、第１読取部１１４が原稿の読み取りに用いられる。このとき、第１読取部１１４の第１走査ユニット１１６は、ホームポジションに配置されている。そして、読取制御部の指示に応じて、Ｐｏｓ１の位置から第１コンタクトガラス１１５上に載置された原稿を走査しながら、第２走査ユニット１１７とともにＰｏｓ２側に移動する。これにより、ＣＣＤ１１９に、原稿画像に応じた反射光を受光させることが可能となる。このように、第１読取部１１４は、静止した原稿の下側の面（表面）に形成されている画像を読み取る。
【０１７９】
走行読取モードが設定されていると、片面モードと両面モードの両方が選択可能になる。走行読取モードで片面モードが選択されると、第１読取部１１４だけが原稿の読み取りに用いられる。このモードの指示があると、第１読取部１１４の第１走査ユニット１１６は、ホームポジションの位置からＰｏｓ３の位置に移動して停止し、そのまま停止状態を保持して、走行する原稿の読み取りを行う。そして、読取制御部の指示に応じて、ＣＣＤ１１９が、第２コンタクトガラス１２０を介して、原稿搬送路１２９を搬送される原稿の画像を下側から読み取る。すなわち、第１読取部１１４は、原稿の下側の面（表面）に形成されている画像を読み取ることとなる。
【０１８０】
走行読取モードで両面モードが選択されると、第１読取部１１４および第２読取部１２５の双方が原稿の読み取りに用いられる。このとき、第１読取部１１４の第１走査ユニット１１６は、走行読取モードの片面モード時と同様に、図１８のＰｏｓ３の位置に停止している。そして、読取制御部の指示に応じて、第１読取部１１４が、第２コンタクトガラス１２０を介して、原稿搬送路１２９を搬送される原稿の画像を下側から読み取る。また、同様に、第２読取部１２５のイメージセンサ部１２８が、搬送される原稿の上側の面（裏面）に形成されている画像を上側から読み取る。このように、画像入力装置１０１における両面モードでは、第１読取部１１４および第２読取部１２５が、搬送される原稿の表裏両面の画像を、上下方向から一度に読み取る。
【０１８１】
そして、原稿が読み取られて生成された画像データは、画像処理装置１０２に送られる。
【０１８２】
本実施形態は、コンピュータに実行させるためのプログラムコード（実行形式プログラム、中間コードプログラム、ソースプログラム）を記録したコンピュータ読み取り可能な記録媒体に、上記した原稿の再読み取りを行うことなくブランク原稿（白紙原稿）を飛ばしてプレビュー表示を行う画像処理方法を記録するものとすることもできる。この結果、上記画像処理方法を行うプログラムを記録した記録媒体を持ち運び自在に提供することができる。
【０１８３】
なお、本実施の形態では、この記録媒体としては、マイクロコンピュータで処理が行われるために図示していないメモリ、例えばＲＯＭのようなものそのものがプログラムメディアであっても良いし、また、図示していないが外部記憶装置としてプログラム読み取り装置が設けられ、そこに記録媒体を挿入することで読み取り可能なプログラムメディアであってもよい。
【０１８４】
いずれの場合においても、格納されているプログラムコードはマイクロプロセッサがアクセスして実行させる構成であっても良いし、あるいは、いずれの場合もプログラムコードを読み出し、読み出されたプログラムコードは、マイクロコンピュータの図示されていないプログラム記憶エリアにダウンロードされて、そのプログラムコードが実行される方式であってもよい。このダウンロード用のプログラムは予め本体装置に格納されているものとする。
【０１８５】
ここで、上記プログラムメディアは、本体と分離可能に構成される記録媒体であり、磁気テープやカセットテープ等のテープ系、フレキシブルディスクやハードディスク等の磁気ディスクやＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムコードを担持する媒体であっても良い。
【０１８６】
また、本実施の形態においては、インターネットを含む通信ネットワークを接続可能なシステム構成であることから、通信ネットワークからプログラムコードをダウンロードするように流動的にプログラムコードを担持する媒体であっても良い。なお、このように通信ネットワークからプログラムコードをダウンロードする場合には、そのダウンロード用のプログラムは予め本体装置に格納しておくか、あるいは別な記録媒体からインストールされるものであっても良い。なお、本発明は、上記プログラムコードが電子的な伝送で具現化された、搬送波に埋め込まれたコンピュータデータ信号の形態でも実現され得る。上記記録媒体は、デジタルカラー画像形成装置やコンピュータシステムに備えられるプログラム読み取り装置により読み取られることで上述した画像処理方法が実行される。
【０１８７】
本発明は上述した各実施形態に限定されるものではなく、請求項に示した範囲で種々の変更が可能であり、上述した実施形態において開示された各技術的手段を適宜組み合わせて得られる実施形態についても本発明の技術的範囲に含まれる。
【産業上の利用可能性】
【０１８８】
本発明の画像処理装置は、画像データを取り扱う装置に用いることができるが、複合機、複写機、プリンタ、ファクシミリ装置に特に好適である。
【図面の簡単な説明】
【０１８９】
【図１】本実施形態の画像形成装置を示したブロック図であり、コピアモード且つフルカラーモードにて印刷処理を行う際の画像データの流れを示したブロック図である。
【図２】（ａ）は、コピアモード且つシングルカラーモードにて印刷処理が行われる際の画像処理装置内の一部を示したブロック図であり、（ｂ）は、コピアモード且つ２色カラーモードにて印刷処理が行われる際の画像処理装置内の一部を示したブロック図である。
【図３】本実施形態の画像形成装置を示したブロック図であり、コピアモード且つフルカラーモードにてプレビュー表示処理を行う際の画像データの流れを示したブロック図である。
【図４】（ａ）は、コピアモード且つシングルカラーモードにてプレビュー表示が行われる際の画像処理装置内の一部を示したブロック図であり、（ｂ）は、コピアモード且つ２色カラーモードにてプレビュー表示が行われる際の画像処理装置内の一部を示したブロック図である。
【図５】（ａ）は、画像表示装置の表示特性に応じたガンマ曲線の一例を示した図である。（ｂ）は、文字をくっきりと表示させるためのガンマ曲線を実線で示し、画像表示装置の表示特性に応じたガンマ曲線を破線で示した図である。
【図６】コピアモード且つフルカラーモードが選択されている場合の画像形成装置の処理手順を示したフローチャートである。
【図７】本実施形態の画像形成装置を示したブロック図であり、ファクシミリ送信モードにて送信処理を行う際の画像データの流れを示した図である。
【図８】実施の一形態の画像形成装置を示したブロック図であり、ファクシミリ送信モードにてプレビュー表示処理を行う際の画像データの流れを示した図である。
【図９】実施の一形態の画像形成装置を示したブロック図であり、ファクシミリ受信モードにて印刷処理を行う際の画像データの流れを示した図である。
【図１０】実施の一形態の画像形成装置を示したブロック図であり、ファクシミリ受信モードにてプレビュー表示処理を行う際の画像データの流れを示した図である。
【図１１】実施の一形態の画像形成装置の変形例を示したブロック図である。
【図１２】実施の他の形態の原稿種別自動判別部のブロック図である。
【図１３】実施の他の形態におけるプレビュー表示の手順を示すフローチャートである。
【図１４】実施の他の形態の画像表示装置の画面の例を表す図である。
【図１５】実施の他の形態の画像表示装置の画面の例を表す図である。
【図１６】実施の他の形態の画像表示装置の画面の例を表す図である。
【図１７】実施の他の形態の画像表示装置の画面の例を表す図である。
【図１８】画像入力装置の構成を示す図である。
【図１９】実施の他の形態の画像表示装置の画面の例を表す図である。
【符号の説明】
【０１９０】
６  領域分離処理部
１１  画質調整部
１２  ２色化処理部
１３  色補正部
１４  黒生成／下色除去部
１５  空間フィルタ部
１６  変倍部
１７  出力階調補正部
１８  中間調生成部
５１  原稿種別判定部
５２  カラーモノクロ判定部
５３  ブランク原稿判定部
１００  画像形成装置
１０１  画像入力装置
１０２  画像処理装置
１０３  画像出力装置
１０４  画像表示装置
１０５  受信装置
１０６  送信装置
１０７  記憶装置
１０８  制御部（プレビュー制御部）
【図１】
2010056803.tif 000005
【図２】
2010056803.tif 000006
【図３】
2010056803.tif 000007
【図４】
2010056803.tif 000008
【図５】
2010056803.tif 000009
【図６】
2010056803.tif 000010
【図７】
2010056803.tif 000011
【図８】
2010056803.tif 000012
【図９】
2010056803.tif 000013
【図１０】
2010056803.tif 000014
【図１１】
2010056803.tif 000015
【図１２】
2010056803.tif 000016
【図１３】
2010056803.tif 000017
【図１４】
2010056803.tif 000018
【図１５】
2010056803.tif 000019
【図１６】
2010056803.tif 000020
【図１７】
2010056803.tif 000021
【図１８】
2010056803.tif 000022
【図１９】
2010056803.tif 000023